(57)【特許請求の範囲】
【請求項１】
器具への運転指示信号を入力操作する操作スイッチと、前記器具の運転状態を表示する表示部と、前記操作スイッチを設けた電池駆動の無線式の操作本体と、この操作本体が取付られる取付台と、前記操作本体が前記取付台に収納されているか否かを判定する検知部を備え、前記操作本体を取付台に収納した時には前記操作スイッチの操作入力を有効化し、取付台から取外した時には操作入力を無効化し、この無効化時に操作入力を有効化する解除スイッチを備え、前記操作本体を前記取付台から取外した状態で無効化を解除するように操作入力しても、あらかじめ定められた一定時間後は自動的に前記操作入力が無効になる操作装置。
【請求項２】
操作スイッチが無効化した時においても進行中の運転機能を停止、または使用者に安全側に働く操作スイッチの操作入力のみ有効化した請求項１記載の操作装置。
【請求項３】
器具の運転状態を表示する表示部に発光部を設け、前記器具へ運転指示信号を与える入力操作時は前記発光部が一定時間点灯する請求項１又は請求項２記載の操作装置。
【発明の詳細な説明】
【０００１】
【産業上の利用分野】
本発明は給湯器等の家庭用設備機器の操作装置に関するものである。
【０００２】
【従来の技術】
従来、操作装置を取付台から外した場合には、操作は無効化される。その無効化を解除するためには、操作スイッチを２つ同時に押すことにより有効化され操作は無効化されなければ半永久に（電池寿命が尽きるまで）自由に行われた。
【０００３】
また一度無効化された操作スイッチは器具の電源停止のみ有効で、進行中の機能だけを停止または設定温度を低くする（安全側に導く）ことは、無効化状態を解除し再設定する以外不可能だった。
【０００４】
さらに電池式の無線式の操作本体は、電池寿命を少しでも長くするために表示部に発光部は設けられていなかった。
【０００５】
【発明が解決しようとする課題】
しかしながら上記従来の構成では、例えば子供が操作装置を取付台からはずし、ボタンを押して遊んだりして意図せずに操作の無効化が解除された場合には、次に無効化されるまでは半永久的に操作が自由に行われるために、例えば温度設定が高温にセットされる時間が半永久的に存在し、そのような場合には意図した温度設定にならないという課題や、また操作の無効化状態時に進行中の運転を停止したり、設定温度を低くすることは、一度無効化状態を解除してから再操作を行わなければならないので非常に使い勝手が悪いという課題があった。
【０００６】
さらに電池式の無線式の操作本体は、各操作スイッチが押される度毎に電池を消耗するので電池寿命が短く、したがって少しでも消費電力を少なくするために、表示部には発光部は設けられておらず、そのため表示部が非常に見づらく器具の運転状態が確認しにくいという課題があった。
【０００７】
本発明は上記課題を解決するもので、使用者が意図せずに操作の無効化を解除して有効化した場合でも、半永久的な操作の自由化を阻止し、また操作の無効化時の使い勝手を改善し、さらに消費電力を少しでも少なくし、且つ表示部を見やすくすることを目的とするものである。
【０００８】
【課題を解決するための手段】
上記目的を達成するために、本発明の操作装置の第一手段は、器具への運転指示信号を入力操作する操作スイッチと、前記器具の運転状態を表示する表示部と、前記操作スイッチを設けた電池駆動の無線式の操作本体と、この操作本体が取付られる取付台と、前記操作本体が前記取付台に収納されているか否かを判定する検知部を備え、前記取付台に収納されている時には前記操作スイッチの操作入力を有効化し、取付台に収納されていない時には操作入力を無効化し、前記操作入力が無効化状態時に有効化状態にする解除スイッチを備え、操作本体を取付台から外した状態で無効化を解除して操作入力しても、ある一定時間後は自動的に前記操作入力が無効になるようにしたものである。
【０００９】
また、本発明の第二手段は、操作スイッチの操作入力が無効化時においても進行中の運転機能を停止または使用者に安全側に働く操作スイッチの操作入力のみ有効化したものである。
【００１０】
また、本発明の第三手段は、器具への運転指示信号を入力操作時に器具の運転状態を表示する表示部の発光部が一定時間だけ点灯するようにしたものである。
【００１１】
【作用】
上記第一手段により本発明の操作装置は、子供が操作装置を取付台からはずし、ボタンを押して遊んだりして意図せずに操作の無効化が解除された場合でも、半永久的に操作が自由に行われるのを防止し、温度設定が高温にセットされる回数を少なくし、安全性を向上する。
【００１２】
上記第二手段により本発明の操作装置は、操作の無効化状態時の運転中に進行中の運転を停止したり、設定温度を低くすることを可能にし、一度無効化状態を解除してから再操作を行なう煩わしい操作を無くし、使い勝手を改善する。
【００１３】
上記第三手段により本発明の操作装置は、器具への運転指示信号の入力操作時にだけ器具の運転状態を表示する表示部の発光部を一定時間点灯させることにより、消費電力を少なくする。また表示部を見やすくすることで器具の運転状態を確認しやすくする。
【００１４】
【実施例】
以下、本発明の一実施例を図面に基づいて説明する。
【００１５】
図１において操作本体としてのリモコン本体４は取付台１に収納され、取付台１は通常は壁に固定されている。リモコン本体４は図示はしない給湯器本体との間で無線によって交信する。リモコン本体４には給湯器のＯＮ／ＯＦＦスイッチ５、給湯器の給湯温度を上昇するスイッチ８、下降するスイッチ９、浴槽の湯温を温める等の追い焚きスイッチ１０及びリモコン本体４の状態や給湯器本体の状態を表示する液晶表示部６を備えている。
【００１６】
またこの表示部６には操作の無効を「ロック」で表示するロック表示部１１および表示部６の発光部７を有する。取付台１には磁石２が内蔵され、リモコン本体４には磁石２に対向する位置にリードスイッチ３が配置されている。このリードスイッチ３は、磁石２の磁力によりＯＮ／ＯＦＦし、リモコン本体４が取付台１に収納されたときにＯＮ動作するように構成されており、このリードスイッチ３の状態によって各スイッチ５，８，９，１０等の有効無効を決定する回路構成となっている。
【００１７】
また取付台１からリモコン本体４を取り外した状態の時でも、例えば温度調節スイッチ８および９を同時に数秒間押すことにより、両スイッチ８，９を規制スイッチとして使い無効化状態（ロック状態）を解除することができる。ただし、ある一定時間後に自動的に無効化状態に戻る。
【００１８】
また、操作の無効化状態時に給湯器のＯＮ／ＯＦＦスイッチ５だけに限らず、進行中の運転、例えば追い焚き運転とすれば操作スイッチ１０は停止機能として一押しだけ有効とし、さらに使用者にとって安全な機能、例えば設定温度を低くするスイッチ９は、有効無効に限らず常時有効状態とする。
【００１９】
さらに、器具へのリモコン本体４内のスイッチ操作による運転指示信号の入力操作時にだけ、器具の運転状態を表示する表示部６の発光部７を一定時間点灯させる。
【００２０】
【発明の効果】
以上の説明から明らかなように、本発明の操作装置の請求項１では、操作本体を取付台から外した状態で無効化を解除しても、ある一定時間後自動的に操作入力が無効になるようにしたために、子供が操作装置を取付台からはずし、ボタンを押して遊んだりして意図せずに操作の無効化が解除された場合でも、半永久的に操作が自由に行われるのを防止し、温度設定が高温にセットされる時間を少なくし、安全性を向上する。
【００２１】
また、本発明の請求項２では、操作入力が無効化状態においても進行中の運転機能を停止または使用者に安全側に働く操作入力のみ有効化したために、操作の無効化状態時の運転中に進行中の運転を停止したり、設定温度を低くすることを可能にし、一度無効化状態を解除してから再操作を行なう煩わしい操作を無くし、使い勝手を改善できる。
【００２２】
さらに、本発明の請求項３では、器具への運転指示信号の入力操作時にだけ器具の運転状態を表示する表示部の発光部を一定時間点灯させることによって消費電力が少なくなり、且つ、表示部が見やすくなることで器具の運転状態が確認しやすくなる。
【図面の簡単な説明】
【図１】（１）本発明の一実施例による操作装置のロック解除状態を示す構成図
（２）同装置のロック状態を示す構成図
（３）同装置のロックを解除する状態を示す構成図
【符号の説明】
１  取付台
２  磁石
３  リードスイッチ
４  リモコン本体
５  給湯器のＯＮ／ＯＦＦスイッチ
６  表示部
７  発光部
８  （設定温度を高くする）スイッチ
９  （設定温度を低くする）スイッチ
１０  追い焚き運転スイッチ
【図１】
0003687134.tif 000002